(57)【要約】【課題】  非接触給電においてコイルで発生する熱を外部に効率的に放散させる。【解決手段】  複数本の溝（１８ａ）を有するコア（１８）と、コア（１８）の複数本の溝（１８ａ）間を環状に巡るコイル（１９）とを備えた給電部（１３）に、同様な構成の受電部（１２）を正対させ、電磁誘導により給電部（１３）から受電部（１２）に給電するようにした非接触給電方法において、上記コア（１８，２１）の溝（１８ａ）と反対側の面に放熱用基板（３４，２３）を取り付け、給電中コイル（１９）が発する熱をこの放熱用基板（３４，２３）から放熱する。給電中コイル（１９，２２）で発生する熱をコア（１８，２１）を通して放熱用基板（３４，２３）から効率よく放熱し、発熱によるトラブルを防止することができる。【選択図】  図７
2006128381.tif 000002
【特許請求の範囲】
【請求項１】
複数本の溝を有するコアと、コアの複数本の溝間を環状に巡るコイルとを備えた給電部に、同様な構成の受電部を正対させ、電磁誘導により給電部から受電部に給電するようにした非接触給電方法において、上記コアの溝と反対側の面に放熱用基板を取り付け、給電中コイルが発する熱をこの放熱用基板から放熱するようにしたことを特徴とする非接触給電方法。
【請求項２】
請求項１に記載の非接触給電方法において、上記放熱用基板を給電部と受電部を所定箇所に保持するためのホルダとして使用することを特徴とする非接触給電方法。
【請求項３】
複数本の溝を有するコアと、コアの複数本の溝間を環状に巡るコイルとを備えた給電部に、同様な構成の受電部を正対させ、電磁誘導により給電部から受電部に給電するようにした非接触給電装置において、上記コアの溝と反対側の面に放熱用基板を設け、この放熱用基板をコア外へと突出させることにより、給電中コイルが発する熱をこの放熱用基板から放熱するようにしたことを特徴とする非接触給電装置。
【請求項４】
請求項１に記載の非接触給電装置において、上記放熱用基板のコア外に突出した突出部を所定箇所にネジ止めしたことを特徴とする非接触給電装置。
【発明の詳細な説明】
【技術分野】
【０００１】
本発明は、ショッピングカート等に非接触で給電する方法及び装置に関する。
【背景技術】
【０００２】
ショッピングカートに液晶画面等の情報出力部を取り付け、この情報出力部で買い物情報、位置情報、買い物客個人情報等の所望の情報を表示することにより、買い物を円滑化し、販売を促進しようとするシステムが提案されている（例えば、特許文献１，２参照。）。
【０００３】
ところが、ショッピングカートの情報出力部で諸情報を表示するについては電力を比較的多く消費するのでその補給について問題を生じる。情報出力部に内蔵された蓄電池を取り出して充電した後再び情報出力部内に組み込んだり、或いは情報出力部自体をショッピングカートから取り外して内部の蓄電池に充電した後再びショッピングカートに取り付けたりすることも考えられるが、そのような方法では充電作業が煩雑化し、また着脱作業に際し情報出力部が損傷しやすくなる。電源からコードを引いてきて蓄電池に接続することも考えられるが、コードの引出・格納作業が面倒である。また、このような問題はショッピングカートに限らず充電作業を伴う他の車両或いはその他の機器についても同様に生じる。
【０００４】
上記問題点を解決する手段として、非接触給電方法を採用することが考えられる。すなわち、給電部を所定の位置に設置し、受電部をショッピングカート等の機器に取り付けておき、給電部から受電部へと電磁誘導を利用して非接触で給電するものとすると、上記問題点を解決することができるものと考えられる（例えば、特許文献３参照。）。
【０００５】
【特許文献１】特開平６−１０７１８３号公報
【特許文献２】特開２００４−１０６８２６号公報
【特許文献３】特開２００３−３７９４９号公報
【発明の開示】
【発明が解決しようとする課題】
【０００６】
ところが、上記非接触給電方法により給電しようとすると、給電部及び受電部での発熱により給電部、受電部及びその周辺が高温になり、種々のトラブルが発生する。
【０００７】
従って、本発明はこのような問題点を解決することができる手段を提供することを目的とする。
【課題を解決するための手段】
【０００８】
上記課題を解決するため、請求項１に係る発明は、複数本の溝（１８ａ）を有するコア（１８）と、コア（１８）の複数本の溝（１８ａ）間を環状に巡るコイル（１９）とを備えた給電部（１３）に、同様な構成の受電部（１２）を正対させ、電磁誘導により給電部（１３）から受電部（１２）に給電するようにした非接触給電方法において、上記コア（１８，２１）の溝（１８ａ）と反対側の面に放熱用基板（３４，２３）を取り付け、給電中コイル（１９）が発する熱をこの放熱用基板（３４，２３）から放熱するようにした非接触給電方法を採用する。
【０００９】
また、請求項２に係る発明は、請求項１に記載の非接触給電方法において、上記放熱用基板（３４，２３）を給電部（１３）と受電部（１２）を所定箇所に保持するためのホルダとして使用する非接触給電方法を採用する。
【００１０】
また、請求項３に係る発明は、複数本の溝（１８ａ）を有するコア（１８）と、コア（１８）の複数本の溝（１８ａ）間を環状に巡るコイル（１９）とを備えた給電部（１３）に、同様な構成の受電部（１２）を正対させ、電磁誘導により給電部（１３）から受電部（１２）に給電するようにした非接触給電装置において、上記コア（１８，２１）の溝（１８ａ）と反対側の面に放熱用基板（３４，２３）を設け、この放熱用基板（３４，２３）をコア（１８，２１）外へと突出させることにより、給電中コイル（１９）が発する熱をこの放熱用基板（３４，２３）から放熱するようにした非接触給電装置を採用する。
【００１１】
また、請求項４に係る発明は、請求項３に記載の非接触給電装置において、上記放熱用基板（３４，２３）のコア（１８，２１）外に突出した突出部（３４ａ）を所定箇所にネジ止めした非接触給電装置を採用する。
【発明の効果】
【００１２】
請求項１又は請求項３に係る発明によれば、給電中コイル（１９，２２）で発生する熱をコア（１８，２１）を通して放熱用基板（３４，２３）から効率よく放熱し、発熱によるトラブルを防止することができる。
【００１３】
請求項２又は請求項４に係る発明によれば、給電部（１３）及び受電部（１２）を所定箇所に着脱自在に保持することができるから、給電部（１３）及び受電部（１２）を簡易に保守点検することができる。
【発明を実施するための最良の形態】
【００１４】
以下、図面を参照して本発明を実施するための最良の形態について説明する。
【００１５】
図１に示すように、車両であるショッピングカートは車台１を備え、車台１上にかご受け２、ハンドル３等を備える。
【００１６】
車台１の機枠は後部から前部に向かって窄まる台形に形成される。また、機枠は後端から前端に向うに連れて低くなるように形成される。台形の機枠内には、線材で形成された荷棚４が設けられる。車台１の下面には前輪５ａ，５ｂと後輪６ａ，６ｂが二つずつ設けられる。これらの車輪５ａ，５ｂ，６ａ，６ｂはいずれもキャスターとして設けられ、車台１下で水平に首振り動作可能である。ショッピングカートはキャスターである車輪５ａ，５ｂ，６ａ，６ｂに支えられることから店舗の床上を移動しつつ自在に方向変換可能である。また、ショッピングカートは他のショッピングカートと水平方向で入れ子状に重ねること（スタッキング）が可能であり、その場合後方のショッピングカートの車台１が前方のショッピングカートの車台１下に入り込み、車台１，１同士が当接したところで停止する。
【００１７】
車台１の後部の左右端からは管材からなる支柱７，７が起立し、両支柱７，７の上端にかご受け２が取り付けられる。かご受け２は例えば支柱７，７を構成する管材を屈曲させることにより支柱７，７と一体に形成することができる。かご受け２は、支柱７，７の上端から車台１の真上へと斜め上方に突出する。かご受け２には商品等を入れるかご８が着脱自在に挿入される。かご８はそのフランジ８ａがかご受け２に係止されることによりショッピングカート上に保持される。もちろん、かご８をかご受け２に固着するなどしてショッピングカートと一体化することも可能である。ショッピングカート同士が入れ子状にスタッキングされる場合、かご８はかご受け２から予め除去され、後方のショッピングカートのかご受け２が前方のショッピングカートのかご受け２の上に重なり合う。
【００１８】
支柱７，７の上部からは、管材で形成されたハンドル３が後方へと突出する。ハンドル３の左右のアーム３ａ，３ｂが左右の支柱７，７に連結され、両アーム３ａ，３ｂは上記かご受け２よりも幅広い間隔で配置される。これにより、ショッピングカート同士が入れ子状にスタッキングされる場合、後方のショッピングカートのかご受け２が前方のショッピングカートのハンドル３のアーム３ａ，３ｂ間を潜り抜けて前方のショッピングカートのかご受け２の上に重なり合うことになる。
【００１９】
このショッピングカートには、液晶画面等からなる情報出力部９が取り付けられる。情報出力部９はホルダ１０によりハンドル３のアーム３ａ，３ｂに固定されるが、その他支柱７、かご受け２等にも固定可能であり、或いはホルダ１０を省略しアーム３ａ，３ｂ、支柱７等と一体的に設けることも可能である。
【００２０】
情報出力部９は、ディスプレイや、図示しないドライバーソフト、ソフトウェア等を含む。この情報出力部９のディスプレイ９ａで買い物情報、位置情報、買い物客個人情報等の所望の情報が表示される。情報出力部９のディスプレイ９ａはスピーカー、プリンタ等に変更し或いはスピーカー等と併用することも可能である。情報出力部９には必要に応じて操作パネル、送受信器等（図示せず）が付設される。買い物客は情報出力部９のディスプレイ９ａ等から、自己の店舗内での位置、商品情報等を認識することができる。
【００２１】
ショッピングカートには、情報出力部９に作動用の電力を供給するための蓄電池１１が搭載される。蓄電池１１は鉛蓄電池、アルカリ蓄電池等のいずれであってもよい。蓄電池１１はこのショッピングカートでは車台１の前部に固定されるが、その他の場所に固定することも可能である。また、情報出力部９のケーシング内に設けることも可能である。
【００２２】
蓄電池１１の充電には、図１乃至図３に示すように、非接触給電方法及び装置が採用される。
【００２３】
すなわち、ショッピングカートには蓄電池１１に給電する受電部１２が設けられ、ショッピングカートの駐車場には上記受電部１２に電磁誘導により給電する給電部１３が設けられ、受電部１２が給電部１３に正対したところで停止手段によりショッピングカートを停止させ、給電部１３から受電部１２に給電し蓄電池１１を充電するようになっている。
【００２４】
ショッピングカートの駐車場は、店舗内の所定の場所に設けられる。この駐車場の床面にショッピングカートの車輪５ａ，５ｂ，６ａ，６ｂを案内するガイドレール１４ａ，１４ｂ，１５ａ，１５ｂが設けられる。図１及び図２に示すように、駐車場の床面に内ガイドレール１４ａ，１４ｂと外ガイドレール１５ａ，１５ｂとが左右対称に固定され、左右一対の内外ガイドレール１４ａ，１４ｂ，１５ａ，１５ｂ間の各ガイド溝がそれぞれ後輪６ａ，６ｂを案内する。また、左右の内ガイドレール１４ａ，１４ｂの内縁がそれぞれ前輪５ａ，５ｂを案内する。もちろん、ガイドレール１４ａ，１４ｂ，１５ａ，１５ｂはこれらの形式に限られるものではなく、例えば前輪５ａ，５ｂを案内するものとして内ガイドレール１４ａ，１４ｂの内側に更に他のガイドレールを設けてもよいし、内ガイドレール１４ａ，１４ｂを前輪５ａ，５ｂの内側に当接する位置に変更してもよい。ショッピングカートはその前輪５ａ，５ｂからガイドレール１４ａ，１４ｂ，１５ａ，１５ｂ内へと侵入するようになっており、各ガイドレール１４ａ，１４ｂ，１５ａ，１５ｂにおけるショッピングカートの侵入側には前輪５ａ，５ｂと後輪６ａ，６ｂを導入しやすくするための斜面１６が形成される。
【００２５】
上述したようにショッピングカートの車輪５ａ，５ｂ，６ａ，６ｂはキャスターとして構成されるので、車輪５ａ，５ｂ，６ａ，６ｂがガイドレール１４ａ，１４ｂ，１５ａ，１５ｂ内に一旦入った後にショッピングカートを元の位置へ引き出そうとすると車輪５ａ，５ｂ，６ａ，６ｂが首を振ってガイドレール１４ａ，１４ｂ，１５ａ，１５ｂの内壁面に当り、ショッピングカートの引き出しを阻止しようとする。
【００２６】
給電部１３は、内ガイドレール１４ａ，１４ｂの間において床面上に固定された基台１７に取り付けられる。基台１７の左右縁は前輪５ａ，５ｂのガイドレールとしても機能し、基台１７の左右壁と左右の内ガイドレール１４ａ，１４ｂとの間の各溝に前輪５ａ，５ｂが侵入し停止するようになっている。
【００２７】
給電部１３は、図９及び図１０に示すようなフェライト製のコア１８を備える。図２及び図３に示すように、給電部１３は、このコア１８上部平坦面に二本の平行溝１８ａ，１８ａを形成し、この平行溝１８ａ，１８ａ内に導線を複数回巻回してなるコイル１９を嵌め込み、平行溝１８ａ，１８ａ内及びその周辺部に樹脂からなる絶縁体２０を注入することによりコア１８とコイル１９とを一体化してなるもので、コイル１９とコア１８の平坦面とが水平に延びるように基台１７上に固定される。
【００２８】
上述したように、ショッピングカートは他のショッピングカートと入れ子状にスタッキング可能であるが、スタッキングされた複数台のショッピングカートに対して同時に給電することができるように、複数基の給電部１３をショッピングカートのスタッキングピッチと同じピッチで基台１７上に配置することもできる。
【００２９】
受電部１２は、給電部１３と同様な構造であり、図３に示すように、フェライト製のコア２１の上部平坦面に二本の平行溝２１ａ，２１ａを形成し、この平行溝２１ａ，２１ａ内に導線を複数回巻回してなるコイル２２を嵌め込み、平行溝２１ａ，２１ａ内及びその周辺部に樹脂（図示せず）を注入することによりコア２１とコイル２２とを一体化してなるものである。この受電部１２は、そのコイル２２とコア２１の平坦面とが下向きになって水平に延びるようにショッピングカートの車台１の底に支持部材２４を介して固定される。
【００３０】
停止手段は、ショッピングカートの駐車場の床面に出没可能に埋設された棒状のストッパ２５として与えられる。ストッパ２５は例えばソレノイドの励磁によって床面上に突出し、ショッピングカートを拘束して所定の停止位置に停止させ、ソレノイドの消磁により床面下に没してショッピングカートを解放する。ショッピングカートが停止手段であるストッパ２５により停止させられると、受電部１２が給電部１３に正対する。
【００３１】
なお、停止手段は他の構成とすることも可能であり、例えば店舗内の壁面とすることもできる。その場合は、前輪５ａ，５ｂを首振り動作しない固定式とし、ガイドレールは前輪５ａ，５ｂに対してのみ配置する。ショッピングカートは前進時その前輪５ａ，５ｂがガイドレールで案内されつつ店舗内の壁面に当って停止し、その後ショッピングカートを後方に引くと前輪５ａ，５ｂは首を振ることなくガイドレールに沿って後退しショッピングカートは壁面から離れる。
【００３２】
ショッピングカートとその駐車場との間には、ショッピングカートを駐車場へと導入する際に受電部１２の位置をショッピングカートの進行方向に対し左右方向と上下方向で規制する規制手段が設けられる。
【００３３】
すなわち、ショッピングカートの駐車場に固定された上記基台１７の左右壁及び上壁にそれぞれガイド溝２６ａ，２６ｂ，２６ｃが水平に形成され、各ガイド溝２６ａ，２６ｂ，２６ｃに侵入可能なローラ２７ａ，２７ｂ，２７ｃ，２７ｃがショッピングカートの車台１に夫々回転自在に取り付けられる。図２及び図３に示すように、ショッピングカートの前後の車輪５ａ，５ｂ，６ａ，６ｂがガイドレール１４ａ，１４ｂ，１５ａ，１５ｂに案内されつつ進行すると、車台１側の各ローラ２７ａ，２７ｂ，２７ｃ，２７ｃが各ガイド溝２６ａ，２６ｂ，２６ｃ内に侵入し、ショッピングカートがストッパ２５により所定の停止位置で停止すると、各ローラ２７ａ，２７ｂ，２７ｃ，２７ｃも各ガイド溝２６ａ，２６ｂ，２６ｃ内で停止する。これにより、受電部１２のコア２１は給電部１３のコア１８等他の箇所に当たることなく給電部１３上へと移動することとなり、比較的脆いコア２１，１８の破損が防止される。また、受電部１２のコア２１の平坦面及びコイル２２は給電部１３のコア１８の平坦面及びコイル１9に対しショッピングカートの前後方向、左右方向及び上下方向で一定の位置関係を保つように正対することとなり、給電効率が高められる。このように受電部１２が給電部１３に正対した後、給電部１３に給電されると、電磁誘導により受電部１２のコイル２２に電流が発生し、蓄電池１１に充電される。
【００３４】
上記規制手段であるガイド溝、ローラ等はその本数、個数、形状、設置位置等を適宜変更可能である。ガイド溝に代えてガイドレールを用いることも可能であり、ローラに代えてスライダ、ボール等を用いることも可能である。
【００３５】
上述したように、給電部１３から受電部１２に電力を供給する際、コイル１９，２２が発熱し、給電部１３、受電部１２およびその周辺が高温になるが、これを防止するため、この実施の形態においては、図３乃至図８に示すように、コア１８，２１における溝と反対側の面に放熱用基板３４，２３を取り付け、給電中この放熱用基板３４，２３から放熱し、コイル１９，２２等を冷却するようになっている。
【００３６】
また、必要に応じて、給電部１３と受電部１２との間の磁束の通り道を避けるように放熱体を設け、この放熱体をコイル１９，２２に接触させることにより給電中この放熱体からも放熱するようになっている。
【００３７】
具体的には、給電部１３が図４乃至図８に示すように構成される。すなわち、図９及び図１０に示したようなコア１８の二本の平行溝１８ａ内に、図１１に示す放熱体である放熱板２８がコイル１９の下面に接するように挿入される。放熱板２８は、図１１及び図４に示すように、略Ｃ字形を呈し、コア１８の二本の平行溝１８ａ内でコイル１９に接する二本の脚部２８ａ，２８ａと、コア１８の一端面外でコイル１９に接する屈曲部２８ｂ，２８ｂと、コア１８の他端面外でコイル１９に接すると共にコイル１９の外側へと突出する突出部２８ｃとを具備する。このように放熱板２８がコイル１９下の屈曲部２８ｂ，２８ｂ及び脚部２８ａ，２８ａから連結部２８ｃへとコア１８の溝１８ａ内からコア１８及びコイル１９の外側へと突出するので、コイル１９で発生した熱は放熱板２８を伝わってその突出部２８ｃから大気中へと放散され、コイル１９、コア１８等が冷却される。
【００３８】
また、図８に示すように、放熱板２８はコア１８の溝１８ａ内に挿入される結果、給電時に給電部１３と受電部１２との間に生じる磁束Ａの通り道から外れることになる。従って、給電効率を低下させることなくコイル１９での発熱を外部に放出することができる。
放熱板２８は熱伝導性の良好な非磁性材料例えばアルミニウムで形成される。また、この放熱板２８はその屈曲部２８ｂ，２８ｂが分断されることにより、非コイル化される。これにより、給電効率の低下が防止される。放熱板２８の非コイル化は連結部２８ｃを分断することにより行ってもよいし、脚部２８ａ，２８ａをコア１８の溝１８ａに沿って二条の板とすることによって行ってもよい。
【００３９】
放熱板２８はコア１８の各溝１８ａの底に熱拡散シート２９を介して密着固定される。熱拡散シート２９は比較的軟質の合成樹脂で形成され、コア１８の溝１８ａの底と放熱板２８とにそれぞれ図示しない接着剤層を介して密着することにより、コア１８の溝１８ａの底と放熱板２８との間から空気を排除し、伝熱性を高める。
【００４０】
コイル１９は、コア１８の二本の平行溝１８ａ，１８ａ間を環状に巡るが、このコイル１９は平角導線を一平面上で多回数巻回することにより横断面が略長方形の環体として形成される。図７および図８に示すように、このコイル１９の下面が熱拡散シート３０を介し上記溝１８ａ内の放熱板２８の上面に密着固定される。コイル１９が放熱板２８上に固定されると、図８に示すように、その反対側の端面がコア１８の溝１８ａより上の平坦面と同一面上に並ぶ。すなわち、コア１８の溝１８ａ，１８ａの深さは、放熱板２８の厚さにコイル１９の厚さと二枚の熱拡散シート２９，３０の厚さを加えた長さに略等しい。これにより、この給電部１３側のコイル１９から受電部１２側のコイル２２への伝送効率が高められる。なお、コイル１９からは二本のリード線１９ａ，１９ｂが引き出される。
【００４１】
図４乃至図７に示すように、上記放熱板２８のコア１８外に突出した突出部２８ｃには多数の冷却フィン３１が設けられる。これにより、放熱板２８のコア１８外における表面積の増大が図られ、給電中コイル１９で発生する熱が効率的に放散される。冷却フィン３１は望ましくは図６及び図７に示すように放熱板２８からコイル１９の位置と反対方向に突出するように設けられる。
【００４２】
図４乃至図８において、符号２０で示すものは絶縁性のある樹脂をモールドしてなる絶縁体であり、コア１８、コイル１９及び放熱板２８を局所的に囲む図示しない成形型に液状樹脂が注入され固化されることにより形成される。絶縁体２０により、コア１８、コイル１９、放熱板２８等が電気的に絶縁されて電気的に非コイル化される。これにより、放熱板２８内での起電力の発生が防止され給電ロスが低減する。また、この絶縁体２０により、コア１８、コイル１９及び放熱板２８は給電部１３として一体化される。なお、絶縁体２０の樹脂としては、二液タイプのエポキシ樹脂を使用することができる。
【００４３】
図５乃至図８に示すように、絶縁体２０により一体化された給電部１３の底すなわちコア１８における溝１８ａと反対側の底面には、上記放熱板２８と同じ材料で形成された放熱用基板３４が熱拡散シート３３を介し固定される。この放熱用基板３４を図３に示す基台１７上に固定することにより、給電時にコイル１９で発生する熱が放熱用基板３４から放散される。放熱用基板３４は給電部１３のホルダとして固定ネジ３５により着脱自在に上記基台１７に取り付けられる。
【００４４】
なお、図５及び図６に示すように、冷却フィン３１は、給電部１３が基台１７に取り付けられたとき、基台１７から離れるように設けられる。
【００４５】
受電部１２は、上記給電部１３と同様にして形成され、図３に示すように、ショッピングカートの車台１の底の支持部材２４に給電部１３の放熱用基板３４と同様な材質、形状の放熱用基板２３を介して固定される。放熱用基板２３は給電部１３と同様に固定ネジ３５により支持部材２４に着脱自在に取り付けられる。受電部１２の図示しない冷却フィンも給電部１３の冷却フィン３１と同様に支持部材２４に接触しないように設けられる。この受電部１２は、図３、図７及び図８に示すように、給電時に給電部１３に正対させられる。
【００４６】
次に、上記構成の非接触給電装置の作用について説明する。
【００４７】
ショッピングカートはハンドル３を握る買い物客と共に店舗の床面上を移動し、その情報出力部９のディスプレイ９ａ等により買い物情報、位置情報等の所望の情報を出力する。買い物客はこの情報を利用して商品を探し、かご受け２上のかご８内に探し当てた商品を入れる。
【００４８】
情報出力部９のディスプレイ９ａ等の作動に必要な電力は車台１上に搭載された蓄電池１１から図示しないリード線により情報出力部９に給電される。蓄電池１１に充電された電気は徐々に消費されるが、蓄電池１１には開店時間中に必要とされる電力が充電されている。
【００４９】
蓄電池１１は、例えば店舗の閉店後に充電される。すなわち、閉店後にショッピングカートが図１に示すようにショッピングカートの駐車場へと作業者により搬送され、ガイドレール１４ａ，１４ｂ，１５ａ，１５ｂ内へと押し込められる。ショッピングカートはその前後輪５ａ，５ｂ，６ａ，６ｂがガイドレール１４ａ，１４ｂ，１５ａ，１５ｂに案内されつつ前進し、ストッパ２５に当たることによりショッピングカートの駐車場の定位置に停止する。
【００５０】
ショッピングカートがガイドレール１４ａ，１４ｂ，１５ａ，１５ｂ内に侵入した後、ショッピングカートを元の位置へ引き出そうとしても、キャスターである車輪５ａ，５ｂ，６ａ，６ｂが首を振ってガイドレール１４ａ，１４ｂ，１５ａ，１５ｂの内壁面に当たるので、ショッピングカートの引き出しが阻止される。従って、ショッピングカートの充電の中断が防止される。
【００５１】
ショッピングカートがストッパ２５に当たる前において、ショッピングカートの前後の車輪５ａ，５ｂ，６ａ，６ｂがガイドレール１４ａ，１４ｂ，１５ａ，１５ｂに案内されつつ進行すると、車台１側の各ローラ２７ａ，２７ｂ，２７ｃ，２７ｃが各ガイド溝２６ａ，２６ｂ，２６ｃ内に侵入する。そして、ショッピングカートがストッパ２５により所定の停止位置で停止すると、各ローラ２７ａ，２７ｂ，２７ｃ，２７ｃも各ガイド溝２６ａ，２６ｂ，２６ｃ内で停止する。これにより、受電部１２のコア２１は給電部１３のコア１８等他の箇所に当たることなく給電部１３上へと移動する。また、受電部１２のコア２１の平坦面及びコイル２２が給電部１３のコア１８の平坦面及びコイル１９に対しショッピングカートの前後方向、左右方向及び上下方向で一定の位置関係を保つように正対する。例えば上下方向では給電部１３と受電部１２との隙間が２ｍｍ程度に保たれるように規制される。
【００５２】
受電部１２が給電部１３に微小間隔で正対した後、給電部１３に給電され、電磁誘導により受電部１２のコイル２２に電流が発生し、蓄電池１１に充電される。すなわち、非接触で蓄電池１１の充電が行われる。
【００５３】
給電時には、給電部１３及び受電部１２の各コイル１９，２２で熱が発生するが、この熱はコア１８，２１を通して放熱用基板３４，２３から効率よく放散され、発熱による各種トラブルが防止される。また、放熱板２８及び冷却フィン３１が設けられる場合は、これらからも放熱される。
【００５４】
蓄電池１１への充電が完了した後、ストッパ２５が床面下に没する。これにより、ショッピングカートは前進が可能になり、ガイドレール１４ａ，１４ｂ，１５ａ，１５ｂ外に取り出され買い物客の利用に供される。
【００５５】
ショッピングカートは他のショッピングカートと入れ子状にスタッキング可能であり、ショッピングカートの駐車場においても同様にスタッキング可能である。基台１７上にショッピングカートのピッチと同じピッチで給電部１３が配置される場合は、スタッキングされた複数台のショッピングカートに同時に充電可能である。
【００５６】
給電部１３及び受電部１２を保守点検に付する場合は、固定ネジ３５を緩めて放熱用基板３４，２３を給電部１３及び受電部１２ごと基台１７、支持部材２４から取り外すことができる。これにより、給電部１３及び受電部１２を簡易に点検し、点検後直ちに元通りに取り付けることができる。
【００５７】
なお、上記実施の形態ではショッピングカートを例にとって説明したが、本発明はゴルフ場のカート、遊園地のカート、自転車等各種の車両、その他様々な機器の充電に適用することが可能である。
【図面の簡単な説明】
【００５８】
【図１】本発明に係る非接触給電装置の一実施態様を示す斜視図である。
【図２】ショッピングカートを駐車場の定位置で停止させた状態を示す平面図である。
【図３】図２中、ＩＩＩ−ＩＩＩ線矢視断面図である。
【図４】給電部及び受電部の詳細をコイル側から見た平面図である。
【図５】図４に示す給電部及び受電部の正面図である。
【図６】図４に示す給電部及び受電部の右側面図である。
【図７】図４中、ＶＩＩ−ＶＩＩ線矢視断面図である。
【図８】図４中、ＶＩＩＩ−ＶＩＩＩ線矢視断面図である。
【図９】コアの溝側から見た平面図である。
【図１０】図９中、Ｘ−Ｘ線矢視断面図である。
【図１１】放熱板の平面図である。
【符号の説明】
【００５９】
１２…受電部
１３…給電部
１８，２１…コア
１８ａ…溝
１９…コイル
２３，３４…放熱用基板
３４ａ…突出部
【図１】
2006128381.tif 000003
【図２】
2006128381.tif 000004
【図３】
2006128381.tif 000005
【図４】
2006128381.tif 000006
【図５】
2006128381.tif 000007
【図６】
2006128381.tif 000008
【図７】
2006128381.tif 000009
【図８】
2006128381.tif 000010
【図９】
2006128381.tif 000011
【図１０】
2006128381.tif 000012
【図１１】
2006128381.tif 000013